(57)【要約】      （修正有）【課題】ステレオスピーカを有するベースボールスタイルキャップを提供する。【解決手段】キャップクラウン１６ａ、つば（又はひさし）１７、汗取り及びつば（又はひさし）１７内に埋め込まれた超小型スピーカ１４，１５を有する。無線受信器、増幅器１２及び／又はバッテリを含むステレオコンポーネントは、キャップクラウン１６ａの最下内表面と汗取りの内表面との間のエリアとして画定される内表面及び／又は内空間内に隠れる。無線受信器は、外部オーディオ源からオーディオ信号を受信してスピーカ１４，１５を介してオーディオを演奏する。【選択図】図１
0003206881.tif 000002
【実用新案登録請求の範囲】
【請求項１】
音声を増幅するステレオスピーカを有するベースボールスタイルのキャップであって、
ユーザの頭に嵌るのに適用されるクラウンと、
前記クラウンに取り付けられる、水平方向へ延在するつば又はひさしと、
少なくとも一つの縁部によって前記クラウンの内表面に固定される汗取りと、
前記クラウンの最下内表面エリアと前記汗取りの内表面との間のエリアによって画定される空間内に配置される再充電可能電源と、
外部デバイスからのオーディオ信号を受信するのに適用される無線受信器を含み、前記クラウンの前記最下内表面と前記汗取りの前記内表面との間の前記エリアによって画定される前記空間内に配置される回路基板と、
サウンドの伝搬の方向が前記つば又はひさしから下方へと向かうように前記つば又はひさしの中に一体化され、前記つば又はひさしの厚み内に隠れるように前記つば又はひさしの厚み以下の厚みを有する少なくとも一つの独立型スピーカと、
を備え、
前記回路基板を介してオーディオ信号を受信するのに適用されるベースボールスタイルキャップ。
【請求項２】
前記再充電可能電源は、バッテリである請求項１に記載のベースボールスタイルキャップ。
【請求項３】
前記バッテリは、前記バッテリが前記クラウンの最下内表面と前記汗取りの内表面の厚み内に実質的に隠れるように前記クラウンの前記最下内表面と前記汗取りの前記内表面との間の空間内に配置されるように寸法が定められたバッテリである請求項２に記載のベースボールスタイルキャップ。
【請求項４】
前記バッテリは、固定手段によって前記空間内に貼り付けられる請求項３に記載のベースボールスタイルキャップ。
【請求項５】
第１のワイヤが前記バッテリを前記回路基板に接続し、前記第１のワイヤは、前記クラウンの前記最下内表面と前記汗取りの前記内表面との間の前記エリアによって画定される前記空間内に配置される請求項３に記載のベースボールスタイルキャップ。
【請求項６】
第２のワイヤが一つのスピーカを前記回路基板に接続し、前記第２のワイヤの少なくとも一部が前記クラウンの前記最下内表面と前記汗取りの前記内表面との間の前記エリアによって画定される前記空間内に配置され、且つ前記第２のワイヤの少なくとも他の一部が前記つば又はひさし内に配置される請求項５に記載のベースボールスタイルキャップ。
【請求項７】
第３のワイヤが一つのスピーカを前記回路基板に接続し、前記第３のワイヤの少なくとも一部が前記クラウンの前記最下内表面と前記汗取りの前記内表面との間の前記エリアによって画定される前記空間内に配置され、且つ前記第３のワイヤの少なくとも他の一部が前記つば又はひさし内に配置される請求項６に記載のベースボールスタイルキャップ。
【請求項８】
ユニバーサルシリアルバス（ＵＳＢ）ポートをさらに備え、ＵＳＢケーブルが前記ＵＳＢポートに接続され、前記バッテリが再充電される請求項１に記載のベースボールスタイルキャップ。
【請求項９】
前記無線受信器を介して受信されるオーディオ信号を増幅するように構成されるオーディオ増幅器をさらに備える請求項１に記載のベースボールスタイルキャップ。
【請求項１０】
前記少なくとも一つの独立型スピーカは第１のスピーカと第２のスピーカを含み、且つ前記オーディオ増幅器はステレオ信号を発生するのに適用され、且つ前記ステレオ信号を前記第１のスピーカと第２のスピーカに提供する請求項９に記載のベースボールスタイルキャップ。
【請求項１１】
一体化されたステレオスピーカを有するベースボールスタイルキャップであって、
ユーザの頭に嵌るのに適用されるクラウンと、
前記クラウンに取り付けられる、水平方向へ延在するつば又はひさしと、
少なくとも一つの縁部によって前記クラウンの内表面に固定される汗取りと、
前記クラウンの最下内表面エリアと前記汗取りの内表面との間のエリアによって画定される空間内に配置される再充電可能電源と、
ＵＳＢケーブルを受容するのに適用される少なくとも一つのＵＳＢポートを有し、前記クラウンの前記最下内表面と前記汗取りの前記内表面との間の前記エリアによって画定される前記空間内に配置される回路基板と、
外部信号源からオーディオ信号を受信するのに適用され、前記クラウンの前記最下内表面と前記汗取りの前記内表面との間の前記エリアによって画定される前記空間内に配置される無線受信器と、
前記無線受信器を介して受信されるオーディオ信号を増幅するように構成される、前記汗取り内に配置される増幅器と、
サウンドの伝搬の方向が前記つば又はひさしから下方へと向かうように前記つば又はひさしの中に一体化され、前記つば又はひさしの厚み内に隠れるように前記つば又はひさしの厚み以下の厚みを有する少なくとも二つの独立型スピーカと、
を備え、
前記増幅器からの信号を受信するのに適用されるベースボールスタイルキャップ。
【請求項１２】
前記再充電可能電源は、前記バッテリが前記クラウンの最下内表面と前記汗取りの内表面の厚み内に実質的に隠れるように前記クラウンの前記最下内表面と前記汗取りの前記内表面との間の空間内に配置されるように寸法が定められたバッテリである請求項１１に記載のベースボールスタイルキャップ。
【請求項１３】
前記バッテリは、固定手段によって前記空間内に貼り付けられる請求項１２に記載のベースボールスタイルキャップ。
【考案の詳細な説明】
【技術分野】
【０００１】
本考案は、ヘッドギアと音楽を提供するための電子手段の組合せに関する。より具体的には、本考案は、ベースボールタイプのキャップとこのキャップの一部として一体化されたスピーカに提供される音楽信号の組合せに関する。
【背景技術】
【０００２】
Ｌｉ氏に対して付与された米国意匠特許第３２１，５８１号は、キャップとラジオの装飾用の組合せを開示している。
【０００３】
Ｇｅｌｂｅｒ氏に対して付与された米国特許第５，４１０，７４６号は、クラウン、つば及び汗取り又はフラップを有するキャップのようなヘッドギアが第１の両面接着ストリップによってそのフラップの内表面に接続される、ラジオのような電子受信デバイスと組み合わされることを開示している。
【０００４】
Ｐｅｎｇ氏に対して付与された米国特許第５，５１０，９６１号は、サウンドを記録し且つ発生する手段及び警告ライトを有するキャップ構造体がバイザー上にデジタル化サウンドを記録し且つ解放する手段と発光ダイオードを含むことを開示している。
【０００５】
Ｈｉｍｍｅｌｅ氏に対して付与された米国特許第７，０３１，０６８号は、双眼鏡を使用することが望ましいが両手が自由に使用できるスポーツ及び他の事象を観賞するためのハンズフリー両眼バイザーヘッドギアを開示している。
【０００６】
モバイルオーディオデバイスを使用する時に、より良好なオーディオ知覚のために可能な限りユーザの耳の近くにサウンドを配信することが助けになる。
【考案の概要】
【考案が解決しようとする課題】
【０００７】
しかしながら、サウンドを送出するためにヘッドバッドやヘッドホーンを使用することは、聴取者が緊急時アラーム、フォーンリング、又は他人の言葉のような他のサウンドを知覚することを阻止する傾向もある。その結果、オーディオ配信の従来の形態は、警告やアラームがヘッドバッド又はイヤホンの使用のために聞こえない場合、ユーザ（およびユーザの周りの他人）を危険な状態に置くことになり得る。
【課題を解決するための手段】
【０００８】
一実施形態では、サウンドが大きくされたステレオスピーカを有するベースボールスタイルのキャップが提供される。このベースボールスタイルは、（ａ）ユーザの頭に嵌るのに適用されるクラウンと、（ｂ）前記クラウンに取り付けられる、水平方向へ延在するつば又はひさしと、（ｃ）少なくとも一つの縁部によって前記クラウンの内表面に固定される汗取りと、（ｄ）前記クラウンの最下内表面エリアと前記汗取りの内表面との間のエリアによって画定される空間内に配置される再充電可能電源と、（ｅ）ＵＳＢケーブルを受容するように構成される少なくとも一つのＵＳＢポートを有する回路基板であって、前記クラウンの前記最下内表面と前記汗取りの前記内表面との間の前記エリアによって画定される前記空間内に配置される回路基板と、（ｆ）隣接する外部信号源から発生されるオーディオ信号を増幅するように構成される、前記汗取り内に配置される独立型増幅器、及び／又は（ｇ）サウンドの伝搬の方向が前記つば又はひさしから下方に向かうように前記つば又はひさしの中に一体化され、前記つば又はひさしの厚み内に隠れるように前記つば又はひさしの厚み以下の厚みを有する少なくとも二つの独立型スピーカと、ことを含み、外部音楽信号発生器からの信号を受信するのに適用される前記ベースボールスタイルキャップが提供される。
【０００９】
前記再充電可能電源は、当該再充電可能電源が、前記クラウンの最下内表面の厚みと前記汗取りの内表面との間に実質的に隠れるように前記クラウンの前記最下内表面と前記汗取りの前記内表面との間の空間内に配置されるように寸法が定められたバッテリでよい。前記バッテリは、固定手段によって前記空間内で貼られてもよい。第１のワイヤが、前記バッテリを前記回路基板に接続することができ、前記第１のワイヤは、前記クラウンの前記最下内表面と前記汗取りの前記内表面との間の前記エリアによって画定される前記空間内に配置される。前記バッテリは、ＵＳＢケーブルを前記ＵＳＢポートに連結することによって再充電されることができる。
【００１０】
第２のワイヤが１つのスピーカを前記回路基板に接続でき、前記第２のワイヤの少なくとも一部は前記クラウンの前記最下内表面と前記汗取りの前記内表面との間の前記エリアによって画定される前記空間内に配置され、且つ前記第２のワイヤの少なくとも一部は前記つば又はひさし内に配置される。第３のワイヤが１つのスピーカを前記回路基板に接続でき、前記第３のワイヤの少なくとも一部は前記クラウンの前記最下内表面と前記汗取りの前記内表面との間の前記エリアによって画定される前記空間内に配置され、且つ前記第３のワイヤの少なくとも一部は前記つば又はひさし内に配置される。
【００１１】
前記増幅器は、前記増幅器の側に配置されるＯＮ／ＯＦＦスイッチを有することができ、前記ＯＮ／ＯＦＦスイッチは、前記汗取りの縁を通って突出する。前記増幅器は、前記汗取りの前記縁を通って突出するＬＥＤライトを有することができ、前記ＬＥＤライトは、前記ＯＮ／ＯＦＦスイッチがＯＮにされると、ブルー光を明るくするのに適用される。前記増幅器は、雌のステレオオーディオジャックコネクタを含むことができ、前記雌のステレオオーディオジャックコネクタは、外部音楽信号発生器の雄コネクタに接続するように構成される。前記外部信号発生器はステレオオーディオケーブル手段を含むことができ、前記ステレオオーディオケーブル手段は前記雌のステレオオーディオジャックコネクタに嵌るための雄コネクタを有する。ステレオ信号は、ステレオ音楽を提供するために前記サウンドが大きくされたステレオスピーカに提供されることができる。前記外部の音楽信号発生器は、コンパクトディスクプレーヤー、ＭＰ３プレーヤー、ＡＭ／ＦＭラジオ、３．５ｍｍジャックを有するデバイス又はステレオ音楽信号を提供できるデバイスのうちの一つであってもよい。前記独立型増幅器は、前記オーディオ信号を前記隣接する外部信号源から無線で受信するための受信機を含む。
【００１２】
他の一実施形態では、ベースボールスタイルキャップであって、（ａ）ユーザの頭に嵌るのに適用されるクラウンと、（ｂ）前記クラウンに取り付けられる水平方向へ延在するつば又はひさしと、（ｃ）少なくとも一つの縁部によって前記クラウンの内表面に固定される汗取りと、（ｄ）前記クラウンの最下内表面エリアと前記汗取りの内表面との間のエリアによって画定される空間内に配置される再充電可能電源と、（ｅ）ＵＳＢケーブルを受容するように構成される少なくとも一つのＵＳＢポートを有する回路基板であって、前記クラウンの前記最下内表面と前記汗取りの前記内表面との間の前記エリアによって画定される前記空間内に配置される回路基板と、（ｆ）隣接する外部信号源から発生されるオーディオ信号を増幅するように構成される前記汗取り内に配置される独立型増幅器と、（ｇ）サウンドの伝搬の方向が前記つば又はひさしから下方へと向かうように前記つば又はひさし内に一体化され、前記つば又はひさしの厚み内に隠れるように前記つば又はひさしの厚み以下の厚みを有する少なくとも二つの独立型スピーカ、及び／又は（ｈ）外部オーディオ信号を前記スピーカに提供するための手段と、を含み、外部音楽信号発生器からの信号を受信するのに適用されるベースボールスタイルキャップが提供される。
【図面の簡単な説明】
【００１３】
【図１】本考案の一実施形態に係るベースボールスタイルキャップとステレオの組合せの斜視図である。
【図２】図１のベースボールスタイルキャップとステレオの組合せの平面図である。
【図３】図１のベースボールスタイルキャップとステレオの組合せの左側面図である。
【図４】図１のベースボールスタイルキャップとステレオの組合せの右側面図である。
【図５】図１のベースボールスタイルキャップとステレオの組合せの底面図である。
【図６】本考案の一実施形態に係る図１のベースボールスタイルキャップとステレオの組合せと共に使用されるための回路基板を示す。
【図７】図１のベースボールスタイルキャップとステレオの組合せの正面図である。
【図８】線８−８に沿って切断された、図７のベースボールスタイルキャップの組合せ断面図である。
【考案を実施するための形態】
【００１４】
図１は、本考案の一実施形態に係るベースボールスタイルキャップとステレオの組合せの斜視図である。キャップは任意の従来の設計及び製造のものでよく、且つ図示の実施形態では、キャップクラウン１６ａ、つば（又はひさし）１７及びそのキャップクラウン１６ａの最下部分の内周内の汗取り１８（透視で示され且つ図５では図示されている）を含む。本考案の実施形態では、ベースボールスタイルキャップの組合せ１６は、つば（又はひさし）１７内に埋め込まれたステレオ低プロファイル超小型スピーカ１４，１５を含む。スピーカ１４，１５は、ワイヤ２０と２２によって回路基板（図示せず、図６参照）に接続されることができる。図１に見える回路基板のコンポーネントは、オーディオステレオジャック１０ａ（以下でより詳細に説明される）、ＵＳＢポート１３（以下でより詳細に説明される）、及び増幅器１２に電力を供給するためのＯＮ／ＯＦＦスイッチ１０を含む。ＬＥＤライト１１は、増幅器１２がＯＮにされたことを示す。
【００１５】
本考案の実施形態に従って、汗取り１８の一縁部のみがクラウンに縫い付けられており、汗取りがクラウン１６ａから引き離されることができ、汗取り１８とクラウン１６ａが互いから引き離されると、クラウン１６ａの最下内表面エリアと汗取り１８の内表面との間エリアとして画定される内表面及び／又は内空間にアクセス可能とされる。これによって、ワイヤ２１（図４に図示）がバッテリを汗取り１８の内表面／内空間内を通り抜けて回路基板（以下においてより詳細に説明）に接続することを可能とする。これによって、また、増幅器１２からのワイヤ２０と２２が同様にスピーカ１４，１５に汗取り１８の内表面／内空間内を通り抜けることが可能とされ、それによって、これらのコンポーネントを接続する。
【００１６】
図２は、図１のベースボールスタイルキャップとステレオの組合せ１６の平面図である。一実施形態では、スピーカ１４，１５は、組み付け中につば（又はひさし）１７を覆う布によって囲まれる。幾つかの実施形態では、スピーカ１４，１５は、希土類磁石を有する「低プロファイル超小型スピーカ」である。スピーカ１４，１５は、つば（又はひさし）１７の厚み内に完全に嵌るように十分に薄くできる。例えば、つば（又はひさし）１７は、１インチの１／８〜３／１６の薄さであり得る。それらの薄さのおかげで、スピーカ１４，１５は、つば（又はひさし）１７に完全に隠れることができ、且つつば（又はひさし）１７の外布によって被覆されることができる。図２にも示され且つ汗取り１８内に、一つの領域にＯＮ／ＯＦＦスイッチ１０、ステレオジャック１０ａ、ＬＥＤライト１１、増幅器１２及びＵＳＢポートがあり、且つ他の一つのエリア（以下でより詳細に説明される）に電源、即ち、バッテリ１９がある。
【００１７】
図３は、図１のベースボールスタイルキャップとステレオの組合せ１６の左側面図である。図示のように、図３は、ステレオスピーカ１５、増幅器１２、ＯＮ／ＯＦＦスイッチ１０、オーディオステレオジャック１０ａ、及び照らすと増幅器１２がＯＮになったことを示すＬＥＤライト１１を含むベースボールスタイルキャップの組合せ１６を示す。図３は、クラウン１６ａ、つば（又はひさし）１７及び接続ワイヤ２０も示している。
【００１８】
図４は、図１のベースボールスタイルキャップとステレオの組合せ１６の右側面図である。図示のように、図４は、ステレオスピーカ１４とバッテリ１９（透視で）を含むベースボールスタイルキャップの組合せ１６を示す。一実施形態では、バッテリ１９は、クラウン１６ａと汗取り１８が互いから引き離される時に、クラウン１６ａの最下内表面エリアと汗取り１８の内表面との間のエリアとしての内表面／内空間内に貼り付けられる。バッテリ１９は、ＶＥＬＣＲＯ（登録商標）、スナップ、ボタン又はそれらに等価な任意の他の物のような固定手段を使用して中に貼り付けられてもよい。そのようなサイズによって、バッテリ１９を隠すこと（及び、従って、それらの要素からの保護及び体液（例えば、ユーザの汗）からの保護）が可能とされる。加えて、本考案の実施形態に係るバッテリ１９は従来のバッテリに比較して一層軽量で且つより少ない嵩であり、汗取り１８は概してユーザの頭に接触しているので、ユーザの快適さを犠牲にすることなく先に述べたようにバッテリ１９の位置決めが可能となる。
【００１９】
本考案の実施形態に従って、バッテリ１９は、リチウムイオンバッテリのような再充電可能バッテリでよい。特定の一実施形態では、バッテリ１９は、少なくとも以下の特徴：３．７Ｖから１０００ｍＡｈでの定格バッテリ；電圧保護回路上／下に組み込まれたもの；約４．２７５ボルトでの過電圧トリップ点；約２．３０ボルトでの下電圧トリップ点；約１．７アンペアでの過電流保護；約０．５６オンスの重量；及び長さが約２〜１／１６、幅が１インチ〜３／８インチ及び深さが３／１６インチの寸法を有する。この図では、つば（又はひさし）１７、ステレオスピーカ１４の頂部及び回路基板（図示せず、図６参照）へのワイヤ２２が見られる。
【００２０】
図５は、図１のベースボールスタイルキャップとステレオの組合せ１６の底面図である。図示のように、図５は、クラウン１６ａ、つば（又はひさし）１７、汗取り１８、ＯＮ／ＯＦＦスイッチ１０、オーディオステレオジャック１０ａ及びスピーカ１４，１５を含むベースボールスタイルキャップの組合せ１６を示す。幾つかの実施形態では、キャップは、更に、例えば近傍のデジタル音楽デバイスからのオーディオ信号を受信することができるブルートゥース（登録商標）接続のような無線受信器を含むことができる。
【００２１】
図２と図５から気付かれるように、バッテリ１９の厚み及び／又は寸法は、バッテリ１９が、クラウン１６ａの最下内表面エリアと汗取り１８の内表面との間の厚みに嵌るようになっており、その厚みは約３／１６インチであり得る。従って、バッテリ１９は、クラウン１６ａの最下内表面エリアと汗取り１８の内表面との間のこの空間内に実質的に隠れる／組み込まれることができる。
【００２２】
図６は、本考案の一実施形態に係る図１のベースボールスタイルキャップとステレオの組合せ１６と共に使用されるための回路基板を示す。図示のように、図６は、回路基板内に一般的に組み込まれる他のコンポーネントのうちのＯＮ／ＯＦＦスイッチ１０、オーディオステレオジャック１０ａ及びＵＳＢポート１３を含む回路基板を示す。本考案の実施形態に従って、回路基板は、外部オーディオデバイスからのコネクタを、ステレオジャック１０ａを介して受容するように構成されることができる。本考案の実施形態に従って、ＵＳＢポート１３は、従来の技術において当業者によって知られるようなＵＳＢケーブルを受容するのに適用される。このように、再充電可能バッテリ１９は、キャップ１６から除去されることなく再充電されることができる。一実施形態では、回路基板は、ベースボールスタイルキャップ１６の汗取り１８内に嵌るように構成される。そのようなサイズによって、スピーカ１４，１５から発するサウンドを増幅するための調節可能手段を設けながら、回路１２を隠すこと（及び、従って、それらの要素からの保護及び体液（例えば、ユーザの汗）からの保護）が可能とされる。
【００２３】
図７は、図１のベースボールスタイルキャップとステレオの組合せ１６の正面図である。図示のように、図７は、キャップクラウン１６ａとつば（又はひさし）１７を含むベースボールスタイルキャップの組合せ１６を示す。有利なことに、スピーカ１４，１５は、それらが低プロファイル超小型スピーカであり且つつば（又はひさし）１７内に実質的に又は完全に組み込まれるので見物人から見えない。低プロファイルスピーカの他の利点は、スピーカ１４，１５はそれらの低プロファイルから非プロファイルの内構成によりベースボールスタイルキャップの組合せ１６を被っている時にユーザの視界を妨げないことである。
【００２４】
図８は、線８−８に沿って切断された図７のベースボールスタイルキャップの組合せの断面図である。図８は、内部１７ａと外部１７ｂを有するつば（又はひさし）１７を示す。幾つかの実施形態では、内部１７ａは射出成型プラスチック又はそれと等価なものからなり、且つ外部１７ｂは多孔性オーディオ布又はそれと等価なものからなる。製造方法の一つでは、プラスチックがモールド内に射出されてスピーカ用の開口がその中に配置されるように残されるつば（又はひさし）１７を形成する。図８は、つば（又はひさし）１７の内部１７ａ内のスピーカ１４を示す。図示のように、スピーカ１４は、内部１７ａに実質的に又は完全に閉じ込められる。また、スピーカ１４，１５がつば（又はひさし）１７内に配置されるので、スピーカ１４，１５から発されるサウンドの放射は、ユーザの耳の近隣よりもむしろユーザの顔の全面に通常向かっている。これに関して、ユーザの耳は、ユーザの耳に損傷を引き起こし得る周波数又はデシベルが高すぎるサウンドから保護される。
【００２５】
つば（又はひさし）１７内にスピーカ１４，１５を配置させる利点の一つは、ユーザの耳が耳パッドやイヤホンによって妨害されたり邪魔されたりしないことである。従って、アラーム、警報及び／又は他人の声を聴くことができる状態で、スピーカ１４，１５を介して所望のオーディオを聞くことができる。例えば、自転車に乗っている間、ユーザは、緊急車のサイレン及び自動車の警笛を聞くことができる状態で、スピーカ１４，１５を通して音楽を聞くことができる。
【００２６】
例示的な特定の実施形態が記述され且つ添付の図面に示されたが、そのような実施形態は、広い考案の例示に過ぎず且つそれに制限されず、及び本考案は、様々な他の変形が当該技術の当業者には思いつき得るため、図示され且つ記述された特定の構造及び配置に制限されないことを理解するべきである。
【図１】
0003206881.tif 000003
【図２】
0003206881.tif 000004
【図３】
0003206881.tif 000005
【図４】
0003206881.tif 000006
【図５】
0003206881.tif 000007
【図６】
0003206881.tif 000008
【図７】
0003206881.tif 000009
【図８】
0003206881.tif 000010